(57)【要約】【課題】録画機器の録画に関する情報をユーザが容易に把握できるようにする。【解決手段】放送受信機２１では、チューナ５２は、放送信号を受信し、表示制御部８５は、受信された放送信号に基づいて、放送番組の画像をモニタ２３Ａに表示させ、録画管理部８３は、放送受信機２１で録画制御していないPVR３１やPVR４１から、それらの録画機器の録画に関する情報を取得する。表示制御部８５はまた、取得された録画に関する情報に基づいて、モニタ２３Ａに所定の情報を表示させる。本発明は、例えば、放送受信機に適用できる。【選択図】図２
2009164984.tif 000002
【特許請求の範囲】
【請求項１】
放送信号を受信する受信手段を備える放送受信装置において、
前記受信手段により受信された前記放送信号に基づいて、放送番組の画像を表示装置に表示させる表示制御手段と、
前記放送受信装置で録画制御していない録画装置から、前記録画装置の録画に関する情報を取得する取得手段と
を備え、
前記表示制御手段は、前記取得手段により取得された前記録画装置の録画に関する情報に基づいて、前記表示装置に所定の情報を表示させる
放送受信装置。
【請求項２】
前記録画に関する情報は、前記録画装置の録画状態または録画予約に関する情報である
請求項１に記載の放送受信装置。
【請求項３】
ユーザ操作を受け付ける受付手段をさらに備え、
前記取得手段は、
前記受付手段により所定のユーザ操作が受け付けられたとき、前記録画に関する情報を取得する
請求項１に記載の放送受信装置。
【請求項４】
前記所定のユーザ操作は、視聴中のチャンネルの切り換えを指示するユーザ操作である
請求項３に記載の放送受信装置。
【請求項５】
前記取得手段は、
前記録画装置の電源がオンされ、その旨が前記放送受信装置に通知されたとき、
前記放送受信装置の電源がオンされたとき、
前記録画装置で前記録画に関する情報の変化を示すイベントが検出され、その旨が前記放送受信装置に通知されたとき、
または一定周期で、
前記録画に関する情報を取得する
請求項１に記載の放送受信装置。
【請求項６】
前記表示制御手段は、前記録画機器の録画状態または録画予約に関する情報を一覧表示したリストを前記所定の情報として表示させる
請求項２に記載の放送受信装置。
【請求項７】
前記表示制御手段は、前記録画機器の録画状態または録画予約に関する情報を示す表示データを付加した番組表を前記所定の情報として表示させる
請求項２に記載の放送受信装置。
【請求項８】
ユーザ操作を受け付ける受付手段をさらに備え、
前記表示制御手段は、前記受付手段により所定のユーザ操作が受け付けられたとき、前記所定の情報を表示させる
請求項１に記載の放送受信装置。
【請求項９】
前記所定のユーザ操作は、
視聴中のチャンネルの切り換えを指示するユーザ操作、
または前記録画に関する情報の表示を指示するユーザ操作
である
請求項８に記載の放送受信装置。
【請求項１０】
放送信号を受信する受信手段を備える放送受信機の放送受信方法において、
前記受信手段により受信された前記放送信号に基づいて、放送番組の画像を表示装置に表示させる表示制御ステップと、
前記放送受信機で録画制御していない録画装置から、前記録画装置の録画に関する情報を取得する取得ステップと
を含み、
前記表示制御ステップの処理において、前記取得ステップの処理により取得された前記録画装置の録画に関する情報に基づいて、前記表示装置に所定の情報を表示させる
放送受信方法。
【請求項１１】
放送信号を受信する受信手段を備える放送受信機の放送受信方法において、
前記受信手段により受信された前記放送信号に基づいて、放送番組の画像を表示装置に表示させる表示制御ステップと、
前記放送受信機で録画制御していない録画装置から、前記録画装置の録画に関する情報を取得する取得ステップと
を含み、
前記表示制御ステップの処理において、前記取得ステップの処理により取得された前記録画装置の録画に関する情報に基づいて、前記表示装置に所定の情報を表示させる
放送受信処理をコンピュータに実行させるプログラム。
【請求項１２】
第１の放送信号を受信する第１の受信手段と、
第２の放送信号を受信する第２の受信手段と
を備える放送受信装置において、
ユーザ操作を受け付ける受付手段と、
前記第１の受信手段により受信された前記放送信号に基づいて、放送番組の画像を表示装置に表示させる表示制御手段と、
前記第２の受信手段により受信された前記放送信号に基づいて、所定の録画装置に放送番組を録画させる録画制御手段と
を備え、
前記表示制御手段は、前記受付手段により視聴中のチャンネルを所定のチャンネルに切り換ることを指示するユーザ操作が受け付けられた場合、前記所定のチャンネルが前記録画装置で録画中のチャンネルであるとき、前記表示装置に所定の情報を表示させる
放送受信装置。
【請求項１３】
第１の放送信号を受信する第１の受信手段と、
第２の放送信号を受信する第２の受信手段と
を備える放送受信装置の放送受信方法において、
ユーザ操作を受け付ける受付ステップと、
前記第１の受信手段により受信された前記第１の放送信号に基づいて、放送番組の画像を表示装置に表示させる表示制御ステップと、
前記第２の受信手段により受信された前記第２の放送信号に基づいて、所定の録画装置に放送番組を録画させる録画制御ステップと
を含み、
前記表示制御ステップの処理は、前記受付ステップの処理により視聴中のチャンネルを所定のチャンネルに切り換ることを指示するユーザ操作が受け付けられた場合、前記所定のチャンネルが前記録画装置で録画中のチャンネルであるとき、前記表示装置に所定の情報を表示させる
放送受信方法。
【請求項１４】
第１の放送信号を受信する第１の受信手段と、
第２の放送信号を受信する第２の受信手段と
を備える放送受信装置の放送受信方法において、
ユーザ操作を受け付ける受付ステップと、
前記第１の受信手段により受信された前記第１の放送信号に基づいて、放送番組の画像を表示装置に表示させる表示制御ステップと、
前記第２の受信手段により受信された前記第２の放送信号に基づいて、所定の録画装置に放送番組を録画させる録画制御ステップと
を含み、
前記表示制御ステップの処理は、前記受付ステップの処理により視聴中のチャンネルを所定のチャンネルに切り換ることを指示するユーザ操作が受け付けられた場合、前記所定のチャンネルが前記録画装置で録画中のチャンネルであるとき、前記表示装置に所定の情報を表示させる
放送受信処理をコンピュータに実行させるプログラム。
【発明の詳細な説明】
【技術分野】
【０００１】
本発明は放送受信装置及び方法、並びにプログラムに関し、特に、例えば、多数の録画機器を利用している場合、各録画機器の録画に関する情報をユーザが容易に把握できるようにする放送受信装置及び方法、並びにプログラムに関する。
【背景技術】
【０００２】
現在、テレビ受像機は一家に１台から、一家に２台、３台の時代になりつつある。またカーナビゲーションシステムや携帯電話が放送受信機能を持つようになってきており、放送を受信し放送番組を表示するテレビ機能を持つ機器は続々と増えつつある。またPVR(personal video recorder)などの録画機器にも同様のことが言え、放送を受信し放送番組を録画する録画機能を持つ機器は世の中に多く存在しており、今後も増え続けると予想されている。
【０００３】
このような状況においてテレビ機能と録画機能を合わせ持つ機器が増えてきている。例えば、テレビジョン受像機自体がハードディスクを内蔵してそれに録画できるようになったり、録画機能を備えたPC(personal computer)やゲーム機が増えてきたりしている。
【０００４】
このテレビ機能と録画機能を合わせ持つ機器において、その機器で録画制御している録画機器の録画状態をユーザに知らせるための表示制御方法（または出力制御方法）がいくつか提案されている。
【０００５】
例えば、メイン画面とサブ画面からなる２画面表示に切り換えたとき、通常の１画面表示で表示されていた放送番組の画像をメイン画面に表示するとともに、外部録画している放送番組の画像をサブ画面に表示するテレビジョン受像機がある（例えば、特許文献１参照）。
【０００６】
また放送コンテンツの受信機能を有する記録再生装置であって、放送コンテンツの記録がなされている期間中に、記録対象となっている放送コンテンツの出力を制限する記録再生装置がある（例えば、特許文献２参照）。
【特許文献１】特開2006-60414号公報
【特許文献２】特開2006-287785号公報
【発明の開示】
【発明が解決しようとする課題】
【０００７】
ところで、ユーザが多数の録画機器を利用している場合、ユーザは、各録画機器でどの放送番組を録画しているのか分らなくなる可能性が高い。
【０００８】
例えば、上述した２画面表示に切り換えたとき外部録画している放送番組の画像をサブ画面に表示する機器は、その機器で外部録画している放送番組の画像を表示するに過ぎない。したがって、このような機器を多数台利用している場合、各機器でどの放送番組を録画しているかを確認するためには、各機器に対して２画面表示に切り換える操作を行う必要があり、その作業は非常に煩雑であった。
【０００９】
また上述した放送コンテンツの記録がなされている期間中に記録対象となっている放送コンテンツの出力を制限する機器は、その機器で記録している放送コンテンツをユーザが視聴することを防止するために、記録がなされている期間中にその放送コンテンツを視聴しようとすると視聴画面に何も表示しない、いわゆる黒画出力を行うに過ぎない。したがって、この機器を利用してこの機器でどの放送番組を録画しているかを把握しようとすること自体がそもそも困難である。
【００１０】
このように、多数の録画機器を利用している場合、各録画機器の録画に関する情報を把握することは困難であった。
【００１１】
本発明は、このような状況に鑑みてなされたものであり、例えば、多数の録画機器を利用している場合、各録画機器の録画に関する情報をユーザが容易に把握できるようにするものである。
【課題を解決するための手段】
【００１２】
本発明の第１の側面の放送受信装置は、放送信号を受信する受信手段を備える放送受信装置において、前記受信手段により受信された前記放送信号に基づいて、放送番組の画像を表示装置に表示させる表示制御手段と、前記放送受信装置で録画制御していない録画装置から、前記録画装置の録画に関する情報を取得する取得手段とを備え、前記表示制御手段には、前記取得手段により取得された前記録画装置の録画に関する情報に基づいて、前記表示装置に所定の情報を表示させることができる。
【００１３】
本発明の第１の側面の放送受信装置には、ユーザ操作を受け付ける受付手段をさらに設け、前記取得手段には、前記受付手段により所定のユーザ操作が受け付けられたとき、前記録画に関する情報を取得させることができる。
【００１４】
本発明の第１の側面の放送受信装置には、ユーザ操作を受け付ける受付手段をさらに設け、前記表示制御手段には、前記受付手段により所定のユーザ操作が受け付けられたとき、前記所定の情報を表示させることができる。
【００１５】
本発明の第１の側面の放送受信方法またはプログラムは、放送信号を受信する受信手段を備える放送受信機の放送受信方法または放送受信処理をコンピュータに実行させるプログラムであり、前記受信手段により受信された前記放送信号に基づいて、放送番組の画像を表示装置に表示させる表示制御ステップと、前記放送受信機で録画制御していない録画装置から、前記録画装置の録画に関する情報を取得する取得ステップとを含み、前記表示制御ステップの処理において、前記取得ステップの処理により取得された前記録画装置の録画に関する情報に基づいて、前記表示装置に所定の情報を表示させる放送受信方法または放送受信処理をコンピュータに実行させるプログラム。
【００１６】
本発明の第２の側面の放送受信装置は、第１の放送信号を受信する第１の受信手段と、第２の放送信号を受信する第２の受信手段とを備える放送受信装置において、ユーザ操作を受け付ける受付手段と、前記第１の受信手段により受信された前記第１の放送信号に基づいて、放送番組の画像を表示装置に表示させる表示制御手段と、前記第２の受信手段により受信された前記第２の放送信号に基づいて、所定の録画装置に放送番組を録画させる録画制御手段とを備え、前記表示制御手段には、前記受付手段により視聴中のチャンネルを所定のチャンネルに切り換ることを指示するユーザ操作が受け付けられた場合、前記所定のチャンネルが前記録画装置で録画中のチャンネルであるとき、前記表示装置に所定の情報を表示させることができる。
【００１７】
本発明の第２の側面の放送受信方法またはプログラムは、第１の放送信号を受信する第１の受信手段と、第２の放送信号を受信する第２の受信手段とを備える放送受信装置の放送受信方法または放送受信処理をコンピュータに実行させるプログラムであり、ユーザ操作を受け付ける受付ステップと、前記第１の受信手段により受信された前記第１の放送信号に基づいて、放送番組の画像を表示装置に表示させる表示制御ステップと、前記第２の受信手段により受信された前記第２の放送信号に基づいて、所定の録画装置に放送番組を録画させる録画制御ステップとを含み、前記表示制御ステップの処理は、前記受付ステップの処理により視聴中のチャンネルを所定のチャンネルに切り換ることを指示するユーザ操作が受け付けられた場合、前記所定のチャンネルが前記録画装置で録画中のチャンネルであるとき、前記表示装置に所定の情報を表示させる放送受信方法または放送受信処理をコンピュータに実行させるプログラム。
【００１８】
本発明の第１の側面においては、受信された放送信号に基づいて、放送番組の画像が表示装置に表示され、放送受信装置で録画制御していない録画装置から、前記録画装置の録画に関する情報が取得され、前記表示装置に対する表示制御では、取得された前記録画装置の録画に関する情報に基づいて、前記表示装置に所定の情報が表示される。
【００１９】
本発明の第２の側面においては、ユーザ操作が受け付けられ、受信された第１の放送信号に基づいて、放送番組の画像が表示装置に表示され、受信された第２の放送信号に基づいて、所定の録画装置に放送番組が録画され、前記表示装置に対する表示制御では、視聴中のチャンネルを所定のチャンネルに切り換ることを指示するユーザ操作が受け付けられた場合、前記所定のチャンネルが前記録画装置で録画中のチャンネルであるとき、前記表示装置に所定の情報が表示される。
【発明の効果】
【００２０】
本発明の第１及び第２の側面によれば、例えば、録画機器の録画に関する情報をユーザが容易に把握できる。
【発明を実施するための最良の形態】
【００２１】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２２】
以下、図面を参照して本発明を適用した実施の形態について説明する。
【００２３】
図１は、本発明を適用した放送受信システム１１の構成例を示す図である。
【００２４】
放送受信システム１１は、イーサネット(Ethernet（登録商標）)に準拠したホームネットワーク１４上に存在しており、このホームネットワーク１４上には、その他、ネットワーク対応のPVRを含むPVRシステム１２及び１３が存在している。また放送受信システム１１乃至PVRシステム１３は、例えば家庭内LAN(Local Area Network)を構成しており、ユーザは、放送受信システム１１乃至PVRシステム１３のそれぞれを利用することができる。
【００２５】
放送受信システム１１は、放送受信機２１、リモートコマンダ２２、出力装置２３、及び記録装置２４から構成される。
【００２６】
例えば、ユーザはリモートコマンダ２２を操作して放送受信機２１に対して視聴のためのチャンネルを指定する指示を行うことで、指定したチャンネルの放送番組の画像や音声を出力装置２３に出力させたり、録画のための放送番組を指定する指示を行うことで、指定した放送番組を記録装置２４に外部録画させたりする。なおユーザは同様にして、PVRシステム１２及び１３を利用することができる。
【００２７】
放送受信機２１は、例えば地上波デジタル放送の放送信号を受信する放送受信装置であり、受信した放送信号から得られる放送番組の画像データ及び音声データを出力装置２３に供給して画像や音声を出力させるとともに、それらを記録装置２４に供給して記録させることにより記録装置２４への外部録画を行う。放送受信機２１はまた、記録装置２４に記録された画像データや音声データを読み出して出力装置２３に供給して画像及び音声を外部に出力させる。放送受信機２１はさらに、リモートコマンダ２２に対するユーザ操作に対応する赤外線や無線電波を受信してそのユーザ操作を受け付け、それに基づいて所定の処理を行う。
【００２８】
リモートコマンダ２２は、それに対するユーザ操作に対応する赤外線や無線電波を放送受信機２１に送信する。
【００２９】
出力装置２３は、モニタ２３Ａ及びスピーカ２３Ｂから構成される。モニタ２３Ａは、放送受信機２１から供給される画像データに基づいてその表示画面に画像を表示する。スピーカ２３Ｂは、放送受信機２１から供給される音声データに基づいて音声を外部に出力する。
【００３０】
記録装置２４は、放送受信機２１から供給される画像データ及び音声データを記録することにより放送番組を（外部）録画する。なお記録装置２４は、後述するように、放送受信機２１により管理された録画予約の情報等に従って、放送受信機２１から供給される制御信号（以下、外部録画制御信号と称する）に基づいて録画を行う。すなわち、記録装置２４は、放送受信機２１により録画制御されている録画機器である。
【００３１】
PVR３１は、例えば地上波デジタル放送の放送信号を受信し、受信した放送信号から得られる放送番組の画像データ及び音声データを自身で管理している録画予約の情報等に基づいて記録装置３１Ａに記録させる（録画する）とともに出力装置３３に供給して画像及び音声を外部に出力させる。PVR３１はさらに、リモートコマンダ３２に対するユーザ操作に対応する赤外線や無線電波を受信してそのユーザ操作を受け付け、それに基づいて例えば録画予約等の処理を行う。
【００３２】
PVR４１は、PVR３１と同様に、例えば地上波デジタル放送の放送信号を受信し、受信した放送信号から得られる放送番組の画像データ及び音声データを自身で管理している録画予約の情報等に基づいて記録装置４１Ａに記録させる（録画する）とともに出力装置４３に供給して画像及び音声を外部に出力させる。PVR４１はさらに、リモートコマンダ４２に対するユーザ操作に対応する赤外線や無線電波を受信してそのユーザ操作を受け付け、それに基づいて例えば録画予約等の処理を行う。なおPVR３１とPVR４１は、自身で管理している録画予約の情報に従って録画を行うのであり、放送受信機２１により録画制御されていない録画機器である。
【００３３】
次に、放送受信機２１のハードウェア構成例について説明する。
【００３４】
放送受信機２１は、アンテナ５１、チューナ５２、デスクランブラ部５３、DEMUX（de-multiplexer）５４、ビデオデコーダ部５５、合成部５６、オーディオデコーダ部５７、ネットワークI/F(interface)部５８、CAS(Conditional Access System)モジュール５９、プログラムメモリ６０、記憶部６１、CPU(Central Processing Unit)６２、リモートコマンダI/F部６３、OSD(On Screen Display)部６４、記録装置I/F部６５、及びバス６６から構成される。チューナ５２、デスクランブラ部５３、DEMUX５４、ビデオデコーダ部５５、オーディオデコーダ部５７、ネットワークI/F部５８、CASモジュール５９、プログラムメモリ６０、記憶部６１、CPU６２、リモートコマンダI/F部６３、OSD部６４、及び記録装置I/F部６５は、バス６６を介して相互に接続されている。
【００３５】
アンテナ５１は、例えば図示せぬ地上デジタル放送の基地局から送信された放送波を受け、その放送波に対応する放送信号をチューナ５２に供給する。
【００３６】
チューナ５２は、例えば地上デジタル放送用のチューナであり、アンテナ５１から供給される放送信号を受信し、その放送信号に対して選局や復調等を行い、その結果得られる放送データをデスクランブラ部５３に供給する。
【００３７】
デスクランブラ部５３は、チューナ５２から供給される放送データを、CASモジュール５９から供給される暗号鍵に基づく所定のスクランブル鍵でデスクランブルし、その結果得られる放送データをDEMUX５４に供給する。
【００３８】
DEMUX５４は、デスクランブラ部５３から供給される放送データから所定の放送番組の画像データや音声データ、各種の制御データ等を抽出し、画像データをビデオデコーダ部５５に、音声データをオーディオデコーダ部５７に、各種の制御データ等をバス６６を介してCPU６２等に、それぞれ供給する。
【００３９】
ビデオデコーダ部５５は、DEMUX５４から供給される画像データをデコード（復号）し、その結果得られるデコードされた画像データを合成部５６及び（外部の）記録装置２４に供給する。
【００４０】
合成部５６は、ビデオデコーダ部５５から供給される画像データと、OSD部６４から供給される表示データとを合成し、その結果得られる出力装置２３（のモニタ２３Ａ）に表示させる表示データを出力装置２３に供給する。
【００４１】
オーディオデコーダ部５７は、DEMUX５４から供給される音声データをデコードし、その結果得られるデコードされた音声データを（外部の）記録装置２４及び出力装置２３（のスピーカ２３Ｂ）に供給する。
【００４２】
ネットワークI/F部５８は、ホームネットワーク１４とのインタフェースであり、ホームネットワーク１４上の所定のデータをバス６６に供給するとともに、バス６６上の所定のデータをホームネットワーク１４に供給する。
【００４３】
CASモジュール５９は、例えば、そこに所定のIC（Integrated Circuit）カード(例えばB-CASカード)が挿入されるようになっており、挿入されたICカードに記憶された所定の暗号鍵をバス６６を介してデスクランブラ部５３に供給する。
【００４４】
プログラムメモリ６０は、例えばRAM(Random Access Memory)、ROM(Read Only Memory)、NVRAM(Non Volatile RAM)等から構成され、プログラムやデータを記憶する。
【００４５】
記憶部６１は、例えばフラッシュメモリ、HDD(Hard Disk)等から構成され、例えばネットワークI/F部５８を介して供給されてインストールされたプログラムや、DEMUX５４からバス６６を介して供給される番組情報、記録装置２４への外部録画の録画予約に関する情報である外部予約録画情報等を記憶する。
【００４６】
CPU６２は、例えば記憶部６１に記憶されているプログラムをバス６６を介してプログラムメモリ６０のRAMにロードして実行することで各種の処理を行う。
【００４７】
リモートコマンダI/F部６３は、外部のリモートコマンダ２２とのインタフェースであり、リモートコマンダ２２に対するユーザ操作に対応する、リモートコマンダ２２から送信された赤外線や無線電波等を受信してそのユーザ操作を受け付け、それに基づいてそのユーザ操作に対応する操作信号をバス６６を介してCPU６２に供給する。
【００４８】
OSD部６４は、CPU６２からバス６６を介して供給されるコマンドやデータに基づいて、出力装置２３のモニタ２３ＡにOSD表示させる表示データを生成し、合成部５６に供給する。
【００４９】
記録装置I/F部６５は、記録装置２４とのインタフェースであり、CPU６２からバス６６を介して供給される外部録画制御信号を記録装置２４に供給（出力）する。
【００５０】
次に、図２を参照して、放送受信機２１の機能的構成例について説明する。
【００５１】
なお、図２において、図１における対応する部分には同じ符号を付してありその説明は、適宜省略する。また図２において、音声データに関連するブロックは適宜省略してある。
【００５２】
放送受信機２１は、アンテナ５１、チューナ５２、バス６６、デコーダ部８１、選局制御部８２、録画管理部８３、予約管理部８４、表示制御部８５、通信制御部８６、番組情報記憶部８７、予約情報記憶部８８、録画情報記憶部８９、システムコントローラ９０、リモートコマンダ制御部９１、及び記録装置制御部９２から構成される。
【００５３】
なお、デコーダ部８１は、図１のデスクランブラ部５３、DEMUX５４、及びビデオデコーダ部５５に対応し、選局制御部８２、録画管理部８３、予約管理部８４、及びシステムコントローラ９０は、図１のCPU６２に対応する。表示制御部８５は、図１の合成部５６、CPU６２、及びOSD部６４に対応し、通信制御部８６は、図１のネットワークI/F部５８に対応する。番組情報記憶部８７、予約情報記憶部８８、及び録画情報記憶部８９は、図１の記憶部６１に対応し、リモートコマンダ制御部９１は、図１のリモートコマンダI/F部６３に対応する。記録装置制御部９２は、図１の記録装置I/F部６５に対応する。
【００５４】
デコーダ部８１は、チューナ５２から供給される放送データをデスクランブルし、所定の放送番組の画像データや番組情報等を抽出する。そして、デコーダ部８１は、抽出した画像データをデコードして表示制御部８５及び（外部の）記録装置２４に供給するとともに、抽出した番組情報をバス６６を介して番組情報記憶部８７に供給する。
【００５５】
選局制御部８２は、リモートコマンダ制御部９１からバス６６を介して供給される操作信号に基づいて、チューナ５２を制御して、所定のチャンネルを選局させる。また選局制御部８２は、予約情報記憶部８８から外部予約録画情報を読み出し、それに基づいて、記録装置２４への録画の開始時刻になると、チューナ５２を制御して、その録画のチャンネルを選局させるとともに、録画の開始を指示する外部録画制御信号を、記録装置制御部９２を介して記録装置２４に供給（出力）する。これにより、記録装置２４では、その録画が開始される。なお録画の終了時についても同様である。
【００５６】
録画管理部８３は、ホームネットワーク１４上の録画機器であるPVR３１及びPVR４１から、それぞれの録画に関する情報を、通信制御部８６及びバス６６を介して取得し、所定の処理を行う。例えば、録画管理部８３は、PVR３１及びPVR４１からそれらの録画スケジュールを取得し、取得した録画スケジュールに基づいて後述する録画情報を作成し、バス６６を介して録画情報記憶部８９に供給する。
【００５７】
予約管理部８４は、リモートコマンダ制御部９１からバス６６を介して供給される操作信号に基づいて、外部予約録画情報を生成し、バス６６を介して予約情報記憶部８８に供給して記憶させることにより、記録装置２４への外部録画の録画予約を行う。例えば、予約管理部８４は、リモートコマンダ制御部９１からの操作信号に基づいて、チャンネル、開始時刻、終了時刻、放送の種類等を指定し、それらに該当する放送番組の録画予約を行う。また番組表の表示を行なっている場合、予約管理部８４は、番組表のうちの注目状態の放送番組を、リモートコマンダ制御部９１からの操作信号に基づいて選択し、その放送番組の録画予約を行う。
【００５８】
表示制御部８５は、リモートコマンダ制御部９１からバス６６を介して供給される操作信号に基づいて、例えば１画面表示や２画面表示といった表示モードの切り換えや、２画面表示時のメイン画面やサブ画面の寸法の設定等を行う。表示制御部８５はまた、メニュー画面やガイダンス等のOSD表示の表示データの作成し、デコーダ部８１から供給される画像データとを合成し、例えば、OSD表示が放送番組の画像に重畳するようにモニタ２３Ａに表示させる。表示制御部８５はさらに、番組情報記憶部８７から番組情報を読み出し、番組表の表示データを作成してモニタ２３Ａに表示させる。
【００５９】
通信制御部８６は、ホームネットワーク１４上の所定のデータをバス６６に供給するとともに、バス６６上の所定のデータをホームネットワーク１４上に供給する。
【００６０】
番組情報記憶部８７は、デコーダ部８１からバス６６を介して供給される番組情報（EPG(Electronic Program Guide)情報）を記憶する。
【００６１】
予約情報記憶部８８は、予約管理部８４からバス６６を介して供給される外部予約録画情報を記憶する。外部予約録画情報では、例えば、録画予約された放送番組のチャンネル、開始時刻、終了時刻、及び放送の種類が対応付けられている。なおこの例では、放送受信機２１が録画制御している（外部録画させる）録画機器は記録装置２４だけであるが、録画制御している録画機器が複数台の場合、録画を行う録画機器の識別情報も外部予約録画情報に含め、上述したチャンネル等と対応付けるようする。
【００６２】
録画情報記憶部８９は、録画管理部８３からバス６６を介して供給される録画情報を記憶する。録画情報では、例えば、図３に示すように、録画予約された放送番組のチャンネル（CH(channel)）、開始時刻、終了時刻、及び録画機器の識別情報が対応付けられている。なお放送の種類等も録画情報に含めるようにしてもよい。
【００６３】
システムコントローラ９０は、例えば放送受信機２１の各部の制御等を行う。
【００６４】
リモートコマンダ制御部９１は、リモートコマンダ２２に対するユーザ操作に対応する赤外線や無線電波を受信してそのユーザ操作を受け付け、それに基づいてそのユーザ操作に対応する操作信号を、選局制御部８２乃至表示制御部８５に供給する。
【００６５】
記録装置制御部９２は、予約管理部８４からバス６６を介して供給される外部録画制御信号を記録装置２４に供給（出力）する。
【００６６】
次に、放送受信機２１、PVR３１、及びPVR４１の処理を、図４及び５のフローチャートを参照して説明する。
【００６７】
この例では、放送受信機２１の電源がオンされたとき、ホームネットワーク１４上には、ネットワーク対応の録画機器として、PVR３１及びPVR４１だけが存在しているものとする。
【００６８】
まず、放送受信機２１の処理について説明する。
【００６９】
放送受信機２１の処理は、その電源がオンされると開始される。
【００７０】
ステップＳ１において、システムコントローラ９０は、例えばUDT(User Datagram Protocol)ブロードキャストのプロトコルを用いて、ホームネットワーク１４上の機器に対して機器情報を含む応答を要求するコマンドを通信制御部８６を介して送信する。
【００７１】
ステップＳ２において、システムコントローラ９０は、ステップＳ１で送信したコマンドに応じて、ホームネットワーク１４上に存在している機器であるPVR３１及びPVR４１から送信されてきた応答を通信制御部８６を介して取得（受信）し、その応答に含まれる機器情報に基づいて、応答の送信元の録画機器のリストであるデバイスリストを作成して保持する。
【００７２】
ステップＳ３において、録画管理部８３は、システムコントローラ９０により保持されているデバイスリスト中の録画機器であるPVR３１及びPVR４１のそれぞれに対してその録画機器の録画スケジュールの送信を要求するコマンドを通信制御部８６を介して送信する。なおデバイスリスト中の録画機器との通信には、独自のプロトコルまたは既存のプロトコルが利用される。
【００７３】
ステップＳ４において、録画管理部８３は、ステップＳ３で送信したコマンドに応じてPVR３１及びPVR４１から送信されてくる録画スケジュールを通信制御部８６を介して取得（受信）する。
【００７４】
ステップＳ５において、録画管理部８３は、取得した録画スケジュールに基づいて録画情報を作成して録画情報記憶部８９に記憶させる。
【００７５】
ステップＳ６において、録画管理部８３は、デバイスリスト中の録画機器であるPVR３１及びPVR４１に対してイベント通知機能の設定を要求するコマンドを通信制御部８６を介して送信する。ここで、イベント通知機能とは、新たな録画予約の発生や録画予約の内容変更といった録画スケジュールの変化を示すイベントを検出し、そのイベントが発生したことを通知するイベント通知を放送受信機２１に送信する機能である。
【００７６】
ステップＳ７において、録画管理部８３は、イベント通知機能により送信されてきたイベント通知を通信制御部８６を介して取得（受信）し、そのイベント通知の送信元（この例の場合、PVR３１）に対して録画スケジュールの送信を要求するコマンドを送信する。
【００７７】
ステップＳ８において、録画管理部８３は、ステップＳ７で送信したコマンドに応じてPVR３１から送信されてくる録画スケジュールを通信制御部８６を介して取得（受信）する。
【００７８】
ステップＳ９において、録画管理部８３は、取得した録画スケジュールに基づいて録画情報を作成して録画情報記憶部８９に記憶（更新）させる。
【００７９】
ステップＳ１０において、リモートコマンダ制御部９１は、リモートコマンダ２２に対する例えば視聴中のチャンネルを所定のチャンネル（以下、切換チャンネルと称する）に切り換えるユーザ操作に対応する赤外線や無線電波等を受信してそのユーザ操作を受け付け、それに基づいてそのユーザ操作に対応する操作信号を選局制御部８２乃至表示制御部８５に供給する。
【００８０】
ステップＳ１１において、選局制御部８２は、リモートコマンダ制御部９１から供給される操作信号に基づいて、チューナ５２を制御し、視聴中のチャンネルを切換チャンネルに切り換えさせる。
【００８１】
ステップＳ１２において、録画管理部８３及び予約管理部８４は、デバイスリスト中の録画機器及び記録装置２４の録画スケジュールをチェックする。録画管理部８３は、リモートコマンダ制御部９１から供給される操作信号に基づいて、録画情報記憶部８９から例えばすべての録画情報を読み出す。予約管理部８４は、リモートコマンダ制御部９１から供給される操作信号に基づいて、予約情報記憶部８８から例えばすべての外部予約録画情報を読み出す。このようにして、録画管理部８３及び予約管理部８４は、デバイスリスト中の録画機器及び記録装置２４の録画スケジュールをチェックする。
【００８２】
ステップＳ１３において、録画管理部８３及び予約管理部８４は、デバイスリスト中の録画機器または記録装置２４が録画中であるか否かを判定する。録画管理部８３は、例えば、読み出した録画情報のうち、開始時刻が現在時刻以前であるとともに終了時刻が現在時刻以後（開始時刻≦現在時刻≦終了時刻）である録画情報が検出されたか否かにより、デバイスリスト中の録画機器が録画中であるか否かを判定する。予約管理部８４は、例えば、読み出した外部予約録画情報のうち、開始時刻が現在時刻以前であるとともに終了時刻が現在時刻以後である外部予約録画情報が検出されたか否かにより、記録装置２４が録画中であるか否かを判定する。このようにして、録画管理部８３及び予約管理部８４は、デバイスリスト中の録画機器または記録装置２４が録画中であるか否かを判定する。
【００８３】
ステップＳ１３において、デバイスリスト中の録画機器または記録装置２４のいずれか一方または両方が録画中であると判定された場合、ステップＳ１４において、録画管理部８３及び予約管理部８４は、視聴中のチャンネル（チャンネル切り換え後の切換チャンネル）がデバイスリスト中の録画機器または記録装置２４で録画中のチャンネルであるか否かを判定する。録画管理部８３は、例えば、ステップＳ１３で検出された録画情報のうち、チャンネルが切換チャンネルである録画情報が検出されたか否かを判定することにより、視聴中のチャンネルがデバイスリスト中の録画機器で録画中のチャンネルであるか否かを判定する。予約管理部８４は、例えば、ステップＳ１３で検出された外部予約録画情報のうち、チャンネルが切換チャンネルである外部予約録画情報が検出されたか否かを判定することにより、視聴中のチャンネルが記録装置２４で録画中のチャンネルであるか否かを判定する。このようにして、録画管理部８３及び予約管理部８４は、視聴中のチャンネルがデバイスリスト中の録画機器または記録装置２４で録画中のチャンネルであるか否かを判定する。
【００８４】
ステップＳ１４において、視聴中のチャンネルがデバイスリスト中の録画機器または記録装置２４で録画中のチャンネルであると判定された場合、ステップＳ１５において、表示制御部８５は、視聴中のチャンネルが録画中のチャンネルであることを示すRec(recording)情報をモニタ２３Ａに表示させる。なおRec情報としては、所定のマークや、録画中とされた録画情報または外部予約録画情報に基づくものを採用することができる。
【００８５】
これにより、モニタ２３Ａの表示画面には、Rec情報が視聴中の放送番組の画像に重畳されて表示される。
【００８６】
例えば、図６に示すモニタ２３Ａの表示例では、一般的に録画中であることを示す赤色の丸印（図中黒丸）や、録画中とされた録画情報のうちの録画機器（の識別情報）である「PVR1」（これはPVR３１を示す識別情報であるものとする）を用いた「PVR1で録画中です」との文字列が、Rec情報として視聴中の放送番組の画像に重畳されて表示されている（図中の矩形枠内の部分）。
【００８７】
なおステップＳ１３でデバイスリスト中の録画機器または記録装置２４の両方が録画中でないと判定された場合、ステップＳ１４及びステップＳ１５がスキップされ、また、ステップＳ１４で視聴中のチャンネルがデバイスリスト中の録画機器または記録装置２４で録画中のチャンネルのいずれでもないと判定された場合、ステップＳ１５がスキップされる。
【００８８】
上述した放送受信機２１の処理は、取得フェーズ、更新フェーズ、及び表示制御フェーズの３つのフェーズに大きく分けられる。
【００８９】
取得フェーズは、ホームネットワーク１４上の録画機器から録画に関する情報を取得するフェーズであり、例えば図４のステップＳ１乃至Ｓ５が該当する。更新フェーズは、これらの録画機器から録画に関する情報を取得して更新するフェーズであり、例えば図５のステップＳ６乃至Ｓ９が該当する。表示制御フェーズは、取得し更新した録画に関する情報に基づいて、所定の情報を表示させるフェーズであり、例えば図５のステップＳ１０乃至Ｓ１５が該当する。
【００９０】
次に、PVR３１の処理について説明する。
【００９１】
ステップＳ２１において、PVR３１は、放送受信機２１から送信された、ホームネットワーク１４上の機器に対して機器情報を含む応答を要求するコマンドを受信し、それに応じて自身の機器情報を含む応答を放送受信機２１に送信する。
【００９２】
ステップＳ２２において、PVR３１は、放送受信機２１から送信された、PVR３１に対して録画スケジュールの送信を要求するコマンドを受信し、それに応じて内部の記録装置３１Ａでの録画スケジュールを放送受信機２１に送信する。
【００９３】
ステップＳ２３において、PVR３１は、放送受信機２１から送信された、PVR３１に対してイベント通知機能の設定を要求するコマンドを受信し、それに応じてイベント通知機能を（有効に）設定する。
【００９４】
これにより、PVR３１では、イベント通知機能が有効になり、イベントの検出とそのイベント通知の送信が可能になる。
【００９５】
ステップＳ２４において、PVR３１は、例えば、リモートコマンダ３２に対する、例えば新たな録画予約を設定するユーザ操作に対応する赤外線や無線電波を受信してそのユーザ操作を受け付け、それに基づいて記録装置３１Ａに対する新たな録画予約を設定する。
【００９６】
ステップＳ２５において、PVR３１は、記録装置３１Ａに対する新たな録画予約という録画スケジュールの変化を示すイベントを検出し、そのイベント通知を放送受信機２１に送信する。
【００９７】
ステップＳ２６において、PVR３１は、放送受信機２１から送信された、PVR３１に対して録画スケジュールの送信を要求するコマンドを受信し、それに応じてPVR３１の記録装置３１Ａでの録画スケジュールを放送受信機２１に送信する。
【００９８】
次に、PVR４１の処理について説明する。
【００９９】
ステップＳ３１において、PVR４１は、放送受信機２１から送信された、ホームネットワーク１４上の機器に対して機器情報を含む応答を要求するコマンドを受信し、それに応じて自身の機器情報を含む応答を放送受信機２１に送信する。
【０１００】
ステップＳ３２において、PVR４１は、放送受信機２１から送信された、PVR４１に対して録画スケジュールの送信を要求するコマンドを受信し、それに応じて内部の記録装置４１Ａでの録画スケジュールを放送受信機２１に送信する。
【０１０１】
ステップＳ３３において、PVR４１は、放送受信機２１から送信された、PVR４１に対してイベント通知機能の設定を要求するコマンドを受信し、そのコマンドに基づいてイベント通知機能を（有効に）設定する。
【０１０２】
これにより、PVR４１では、イベント通知機能が有効になり、イベントの検出とそのイベント通知の送信が可能になる。
【０１０３】
以上のように、放送受信機２１は、視聴中のチャンネルを切換チャンネルに切り換えるユーザ操作がリモートコマンダ制御部９１で受け付けられた場合、視聴中のチャンネルを切換チャンネルに切り換えるとともに、切換チャンネルがホームネットワーク１４上の録画機器または記録装置２４で録画中のチャンネルであるとき、切換チャンネルが録画中のチャンネルであることを示すRec情報をモニタ２３Ａに表示させるようにしたので、例えば、ユーザは、チャンネルを切り換えたときにそのチャンネルが録画中であるか否かを容易に把握することができる。またホームネットワーク１４上の録画機器または記録装置２４により録画中の放送番組をユーザが間違ってそのまま視聴してしまうことを防ぐことができる。
【０１０４】
なお放送受信機２１が録画スケジュール等の録画に関する情報を取得するタイミングは、上述したチャンネルを切り換えるタイミングに限らない。例えば、PVR３１やPVR４１において、その録画機器の電源がオンされたとき、その旨が放送受信機２１に通知される通知機能が搭載され、その機能が有効に設定されている場合、PVR３１やPVR４１の電源がオンされ、その録画機器がホームネットワーク１４上の録画機器となり、その録画機器の電源がオンされた旨の通知が録画機器Ａからホームネットワーク１４を介して放送受信機２１に送信されてきたタイミング等としてもよい。
【０１０５】
また上述した放送受信機２１の処理のうち、ステップＳ１３の処理の判定内容とステップＳ１４の処理の判定内容を入れ換えるようにしてもよい。
【０１０６】
次に、放送受信機２１、PVR３１、及びPVR４１の処理の他の例を、図７及び８のフローチャートを参照して説明する。
【０１０７】
なお図７及び８において、ステップＳ５１乃至Ｓ５９、ステップＳ７１乃至Ｓ７６、並びにステップＳ８１乃至Ｓ８３の処理は、それぞれ、図４及び５におけるステップＳ１乃至Ｓ９、ステップＳ２１乃至Ｓ２６、並びにステップＳ３１乃至Ｓ３３の処理と同じであり、その説明は省略する。
【０１０８】
放送受信機２１の処理のうちのステップＳ６０以降の処理について説明する。なお、これらの処理は、表示制御フェーズに該当する。
【０１０９】
ステップＳ６０において、リモートコマンダ制御部９１は、リモートコマンダ２２に対する例えば番組表の表示を指示するユーザ操作に対応する赤外線や無線電波等を受信してそのユーザ操作を受け付け、それに基づいてそのユーザ操作に対応する操作信号を選局制御部８２乃至表示制御部８５に供給する。表示制御部８５は、この操作信号に基づいて、番組情報記憶部８７から番組表の作成に必要な番組情報を読み出す。
【０１１０】
ステップＳ６１において、録画管理部８３及び予約管理部８４は、デバイスリスト中の録画機器及び記録装置２４の録画スケジュールをチェックする。録画管理部８３は、リモートコマンダ制御部９１から供給される操作信号に基づいて、録画情報記憶部８９から例えばすべての録画情報を読み出す。予約管理部８４は、リモートコマンダ制御部９１から供給される操作信号に基づいて、予約情報記憶部８８から例えばすべての外部予約録画情報を読み出す。このようにして、録画管理部８３及び予約管理部８４は、デバイスリスト中の録画機器及び記録装置２４の録画スケジュールをチェックする。
【０１１１】
ステップＳ６２において、録画管理部８３及び予約管理部８４は、デバイスリスト中の録画機器または記録装置２４が録画中であるか否かを判定する。録画管理部８３は、例えば、読み出した録画情報のうち、開始時刻が現在時刻以前であるとともに終了時刻が現在時刻以後である録画情報が検出されたか否かにより、デバイスリスト中の録画機器が録画中であるか否かを判定する。予約管理部８４は、例えば、読み出した外部予約録画情報のうち、開始時刻が現在時刻以前であるとともに終了時刻が現在時刻以後である外部予約録画情報が検出されたか否かにより、記録装置２４が録画中であるか否かを判定する。このようにして、録画管理部８３及び予約管理部８４は、デバイスリスト中の録画機器または記録装置２４が録画中であるか否かを判定する。
【０１１２】
ステップＳ６２において、デバイスリスト中の録画機器または記録装置２４のいずれか一方または両方が録画中であると判定された場合、ステップＳ６３において、録画管理部８３または予約管理部８４は、ステップＳ６２で検出された録画情報または外部予約録画情報を表示制御部８５に供給する。表示制御部８５は、録画管理部８３または予約管理部８４から供給される録画情報または外部予約録画情報、並びに読み出した番組情報に基づいて、デバイスリスト中の録画機器または記録装置２４で録画中の放送番組の欄に例えば録画中マークを付与した番組表を作成し、モニタ２３Ａに表示させる。
【０１１３】
これにより、モニタ２３Ａの表示画面には、録画中の放送番組の欄に録画中マークが付与された番組表が表示される。
【０１１４】
ステップＳ６２において、デバイスリスト中の録画機器及び記録装置２４の両方が録画中でないと判定された場合、ステップＳ６４において、表示制御部８５は、（録画中マークが付与されていない）通常の番組表を作成し、モニタ２３Ａに表示させる。
【０１１５】
これにより、モニタ２３Ａの表示画面には、（録画中マークが付与されていない）通常の番組表が表示される。
【０１１６】
以上のように、放送受信機２１は、番組表の表示を指示するユーザ操作がリモートコマンダ制御部９１で受け付けられた場合、デバイスリスト中の録画機器または記録装置２４で録画中の放送番組があるとき、その放送番組の欄に録画中マークが付与された番組表をモニタ２３Ａに表示させるようにしたので、例えば、ユーザは、番組表のうちのどの放送番組が録画中であるかを容易に把握することができる。
【０１１７】
また放送受信機２１は、例えばモニタ２３Ａに表示された番組表のうちの所定の放送番組を注目状態にし、リモートコマンダ制御部９１で受け付けられたユーザ操作に基づいて、番組表のうちの注目状態の放送番組の記録装置２４に対して録画予約するようにすることができる。このようにしたとき、放送受信機２１は、録画中の放送番組の欄に録画マークが付与された番組表をモニタ２３Ａに表示させるので、注目状態の放送番組が録画中の場合、その放送番組の欄に録画中マークを表示させることができる。その結果、ユーザが録画中の放送番組であることに気付かずに誤ってその放送番組を記録装置２４に外部録画させてしまうことを防ぐことができる。
【０１１８】
次に、放送受信機２１、PVR３１、及びPVR４１の処理の他の例を、図９及び１０のフローチャートを参照して説明する。
【０１１９】
図９及び１０において、ステップＳ１０１乃至Ｓ１０９、ステップＳ１２１乃至Ｓ１２６、並びにステップＳ１３１乃至Ｓ１３３の処理は、それぞれ、図４及び５におけるステップＳ１乃至Ｓ９、ステップＳ２１乃至Ｓ２６、並びにステップＳ３１乃至Ｓ３３と同じであり、その説明は省略する。
【０１２０】
放送受信機２１の処理のうちのステップＳ１１０以降の処理について説明する。なおこれらの処理は、表示制御フェーズに該当する。
【０１２１】
ステップＳ１１０において、リモートコマンダ制御部９１は、リモートコマンダ２２に対する例えば録画中または録画予約中の録画機器のリストの表示を指示するユーザ操作に対応する赤外線や無線電波等を受信してそのユーザ操作を受け付け、それに基づいてそのユーザ操作に対応する操作信号を選局制御部８２乃至表示制御部８５に供給する。
【０１２２】
ステップＳ１１１において、録画管理部８３及び予約管理部８４は、デバイスリスト中の録画機器または記録装置２４の録画スケジュールをチェックする。録画管理部８３は、リモートコマンダ制御部９１から供給される操作信号に基づいて、録画情報記憶部８９から例えばすべての録画情報を読み出す。予約管理部８４は、リモートコマンダ制御部９１から供給された操作信号に基づいて、予約情報記憶部８８から例えばすべての外部予約録画情報を読み出す。このようにして、録画管理部８３及び予約管理部８４は、デバイスリスト中の録画機器または記録装置２４の録画スケジュールをチェックする。
【０１２３】
ステップＳ１１２において、録画管理部８３及び予約管理部８４は、デバイスリスト中の録画機器及び記録装置２４が録画中または録画予約中であるか否かを判定する。録画管理部８３は、例えば、読み出した録画情報のうち、終了時刻が現在時刻以降である録画情報が検出されたか否かにより、デバイスリスト中の録画機器が録画中または録画予約中であるか否かを判定する。予約管理部８４は、例えば、読み出した外部予約録画情報のうち、終了時刻が現在時刻以降である外部予約録画情報が検出されたか否かにより、記録装置２４が録画中または録画予約中であるか否かを判定する。このようにして、録画管理部８３及び予約管理部８４は、デバイスリスト中の録画機器及び記録装置２４が録画中または録画予約中であるか否かを判定する。
【０１２４】
ステップＳ１１２において、デバイスリスト中の録画機器及び記録装置２４のいずれか一方または両方が録画中または録画予約中であると判定された場合、ステップＳ１１３において、録画管理部８３または予約管理部８４は、ステップＳ１１２で検出された録画情報または外部予約録画情報を表示制御部８５に供給する。表示制御部８５は、録画管理部８３または予約管理部８４から供給される録画情報または外部予約録画情報に基づいて、例えば、デバイスリスト中の録画機器または記録装置２４のうち、録画中または録画予約中の録画機器の情報を一覧表示したリストをモニタ２３Ａに表示させる。
【０１２５】
これにより、モニタ２３Ａの表示画面には、録画中または録画予約中の録画機器の情報を一覧表示したリストが表示される。
【０１２６】
例えば、図１１のモニタ２３Ａの表示例では、各行には、録画中または録画予約中の録画機器の情報が一覧表示されている。すなわち、第１行には、録画中の録画機器の情報であるPVR３１の録画中の放送番組の開始時刻「10:00」、終了時刻「11:00」、CH(チャンネル)「9CH」、及び録画機器（の識別情報）「PVR1」（PVR３１の識別情報）に基づく文字列「10:00-11:00 9CH PVR1」が表示され、第２行には、録画予約中の録画機器の情報であるPVR４１の録画中の放送番組の開始時刻「12:00」、終了時刻「12:30」、CH(チャンネル)「4CH」、及び録画機器（の識別情報）「PVR2」（PVR４１の識別情報）に基づく文字列「12:00-12:30 4CH PVR2」が表示されている。
【０１２７】
なおステップＳ１１２において、デバイスリスト中の録画機器及び記録装置２４の両方が録画中でも録画予約中でもないと判定された場合、ステップＳ１１３がスキップされる。
【０１２８】
以上のように、放送受信機２１は、録画中または録画予約中の録画機器のリストの表示を指示するユーザ操作がリモートコマンダ制御部９１で受け付けられた場合、デバイスリスト中の録画機器または記録装置２４で録画中または録画予約中であるとき、そのような録画機器のリストをモニタ２３Ａに表示するようにしたので、例えば、ユーザは、ホームネットワーク１４上の録画機器及び記録装置２４のうちのどの録画機器が録画中または録画予約中であるかを容易に把握することができる。
【０１２９】
次に、放送受信機２１、PVR３１、及びPVR４１の処理の他の例を、図１２及び１３のフローチャートを参照して説明する。
【０１３０】
図１２及び１３において、ステップＳ１５１乃至Ｓ１５８、ステップＳ１７１乃至Ｓ１７６、並びにステップＳ１８１乃至Ｓ１８３の処理は、図４及び５におけるステップＳ１乃至Ｓ８、ステップＳ２１乃至Ｓ２６、並びにステップＳ３１乃至Ｓ３３の処理と同じであり、その説明は省略する。なお、この例では、録画に関する情報の更新と、取得し更新した録画に関する情報に基づく表示制御とを分けられないので、更新フェーズ及び表示制御フェーズを定義していない。
【０１３１】
放送受信機２１の処理のうちのステップＳ１５９以降の処理について説明する。
【０１３２】
ステップＳ１５９において、録画管理部８３は、ステップＳ１５８で取得した録画スケジュールに基づいて録画情報を作成する。
【０１３３】
ステップＳ１６０において、録画管理部８３は、イベント通知の送信元であるPVR３１の録画情報（古い録画情報と称する）を録画情報記憶部８９から読み出し、ステップＳ１５９で作成した録画情報（新しい録画情報と称する）と比較する。
【０１３４】
ステップＳ１６１において、録画管理部８３は、ステップＳ１６０での比較結果に基づいて、イベント通知の送信元であるPVR３１に録画予約が入ったか否かを判定する。例えば、録画管理部８３は、古い録画情報に一致しない新しい録画情報があるか否かにより、録画予約が入ったか否かを判定する。
【０１３５】
ステップＳ１６１において、イベント通知の送信元であるPVR３１に録画予約が入ったと判定された場合、ステップＳ１６２において、録画管理部８３は、PVR３１に録画予約が入った旨の情報、すなわち例えば、「PVR１に録画予約が入りました」なる文字列等をモニタ２３Ａに表示させる。
【０１３６】
これにより、モニタ２３Ａの表示画面には、そのような文字列等が視聴中の放送番組の画像に重畳されて表示される。
【０１３７】
ステップＳ１６３において、録画管理部８３は、作成した新しい録画情報を録画情報記憶部８９に供給して古い録画情報に上書きするように録画情報を更新させる。そして、放送受信機２１の処理が終了される。
【０１３８】
なおステップＳ１６１において、イベント通知の送信元であるPVR３１に録画予約が入っていないと判定された場合、ステップＳ１６２及びＳ１６３がスキップされる。
【０１３９】
以上のように、放送受信機２１は、デバイスリスト中の録画機器から取得した録画スケジュールに基づいて、その録画機器で録画予約が入った旨の情報をモニタ２３Ａに表示させるようにしたので、例えば、ユーザは、ホームネットワーク１４上の録画機器で録画予約が入ったことを容易に把握することができる。
【０１４０】
また放送受信機２１は、デバイスリスト中の録画機器にイベント通知機能を設定させ、イベント通知を受信する度に、送信元の録画機器から録画スケジュールを取得するようにしたので、例えば、ユーザは、録画機器で録画予約が入るとすぐにそのことを把握することができる。
【０１４１】
次に、放送受信機２１、PVR３１、及びPVR４１の処理の他の例を、図１４及び１５のフローチャートを参照して説明する。
【０１４２】
図１４及び１５において、ステップＳ２０１乃至Ｓ２０５、ステップＳ２２１及びＳ２２２、並びにステップＳ２３１及びＳ２３２の処理は、それぞれ、図４におけるステップＳ１乃至Ｓ５、ステップＳ２１及びＳ２２、並びにステップＳ３１及びＳ３２の処理と同じであり、その説明は省略する。
【０１４３】
まず放送受信機２１の処理のうちのステップＳ２０６以降の処理について説明する。
【０１４４】
ステップＳ２０６において、録画管理部８３は、一定周期（例えば10分周期）で、デバイスリスト中の録画機器であるPVR３１及びPVR４１のそれぞれに対してその録画機器における録画スケジュールの送信を要求するコマンドを通信制御部８６を介して送信する。
【０１４５】
ステップＳ２０７において、録画管理部８３は、ステップＳ２０６で送信したコマンドに応じてPVR３１及びPVR４１から送信されてくる録画スケジュールを通信制御部８６を介して取得（受信）する。
【０１４６】
ステップＳ２０８において、録画管理部８３は、取得した録画スケジュールに基づいて録画情報を作成して録画情報記憶部８９に記憶（更新）させる。
【０１４７】
ステップＳ２０９において、録画管理部８３及び予約管理部８４は、デバイスリスト中の録画機器及び記録装置２４の録画スケジュールをチェックする。録画管理部８３は、録画情報記憶部８９から例えばすべての録画情報を読み出す。予約管理部８４は、予約情報記憶部８８から例えばすべての外部予約録画情報を読み出す。このようにして、録画管理部８３及び予約管理部８４は、デバイスリスト中の録画機器及び記録装置２４の録画スケジュールをチェックする。
【０１４８】
ステップＳ２１０において、録画管理部８３及び予約管理部８４は、デバイスリスト中の録画機器または記録装置２４が所定の時間内に録画を開始するか否かを判定する。録画管理部８３は、例えば、読み出した録画情報のうち、開始時刻が現在時刻以降の所定の時間内にある録画情報が検出されたか否かにより、デバイスリスト中の録画機器が所定の時間内に録画を開始するか否かを判定する。予約管理部８４は、例えば、読み出した外部予約録画情報のうち、開始時刻が現在時刻以降の所定の時間内にある外部予約録画情報が検出されたか否かにより、記録装置２４が所定の時間内に録画を開始するか否かを判定する。このようにして、録画管理部８３及び予約管理部８４は、デバイスリスト中の録画機器または記録装置２４が所定の時間内に録画を開始するか否かを判定する。
【０１４９】
ステップＳ２１０において、デバイスリスト中の録画機器または記録装置２４のいずれか一方または両方が所定の時間内に録画を開始すると判定された場合、ステップＳ２１１において、録画管理部８３または予約管理部８４は、ステップＳ２１０で検出された録画情報または外部予約録画情報を表示制御部８５に供給する。表示制御部８５は、録画管理部８３または予約管理部８４から供給される録画情報または外部予約録画情報に基づいて、例えば、録画の開始時刻と録画を行う録画機器を示す情報、例えば、「PVR1で6分後に録画が開始されます」なる文字列をモニタ２３Ａに表示させる。
【０１５０】
これにより、モニタ２３Ａの表示画面には、例えば、録画の開始時刻と録画機器を示す情報が、視聴中の番組の画像に重畳して表示される。
【０１５１】
なおステップＳ２１０において、デバイスリスト中の録画機器及び記録装置２４のいずれにおいても所定の時間内に録画を開始しないと判定された場合、ステップＳ２１１はスキップされる。
【０１５２】
次にPVR３１の処理のうちのステップＳ２２３の処理について説明する。
【０１５３】
ステップＳ２２３において、PVR３１は、放送受信機２１から送信された、PVR３１に対して録画スケジュールの送信を要求するコマンドを受信し、内部の記録装置３１Ａの録画スケジュールを放送受信機２１に送信する。
【０１５４】
またPVR４１の処理のうちのステップＳ２３３の処理について説明する。
【０１５５】
ステップＳ２３３において、PVR４１は、放送受信機２１から送信された、PVR４１に対して録画スケジュールの送信を要求するコマンドを受信し、内部の記録装置４１Ａの録画スケジュールを放送受信機２１に送信する。
【０１５６】
以上のように、放送受信機２１は、デバイスリスト中の録画機器または記録装置２４が現在時刻から所定の時間内に録画を開始するとき、開始時刻や録画を行う録画機器を示す情報をモニタ２３Ａに表示させるようにしたので、例えば、ユーザは、ホームネットワーク１４上の録画機器または記録装置２４が所定の時間内に録画を開始することを容易に把握することができる。
【０１５７】
また放送受信機２１は、一定周期でデバイスリスト中の録画機器または記録装置２４から録画スケジュールを取得し、それに基づいて記憶しているデバイスリスト中の録画機器または記録装置２４の録画情報または外部予約録画情報を更新するようにしたので、例えば、ユーザは、ホームネットワーク１４上の録画機器または記録装置２４が所定の時間内に録画を開始するかどうかをより確実に把握することができる。
【０１５８】
次に、放送受信機２１、PVR３１、及びPVR４１の処理の他の例を、図１６及び１７のフローチャートを参照して説明する。
【０１５９】
図１６及び１７において、ステップＳ２４１及びＳ２４２、ステップＳ２７１、並びにステップＳ２８１の処理は、図４及び５におけるステップＳ１及びＳ２、ステップＳ２１、並びにステップＳ３１の処理と同じであり、その説明は省略する。なおこの例では、録画に関する情報の取得、録画に関する情報の更新、及び、取得し更新した録画に関する情報に基づく表示制御を分けられないので、取得フェーズ、更新フェーズ、及び表示制御フェーズを定義していない。
【０１６０】
まず放送受信機２１のステップＳ２４３以降の処理について説明する。
【０１６１】
ステップＳ２４３において、リモートコマンダ制御部９１は、リモートコマンダ２２に対する例えば視聴中のチャンネルを所定のチャンネル（切換チャンネル）に切り換えるユーザ操作に対応する赤外線や無線電波等を受信してそのユーザ操作を受け付け、それに基づいてそのユーザ操作に対応する操作信号を選局制御部８２乃至表示制御部８５に供給する。
【０１６２】
ステップＳ２４４において、選局制御部８２は、リモートコマンダ制御部９１から供給される操作信号に基づいて、チューナ５２を制御し、視聴中のチャンネルを切換チャンネルに切り換えさせる。
【０１６３】
ステップＳ２４５において、録画管理部８３は、リモートコマンダ制御部９１から供給される操作信号に基づいて、システムコントローラ９０により保持されているすべての機器情報を読み出すことにより、デバイスリストをチェックする。
【０１６４】
ステップＳ２４６において、録画管理部８３は、読み出したデバイスリスト中の録画機器であるPVR３１及びPVR４１のそれぞれに対してその録画機器の録画状態を示すステータス情報の送信を要求するコマンドを送信する。
【０１６５】
ステップＳ２４７において、録画管理部８３は、ステップＳ２４６で送信したコマンドに応じてPVR３１及びPVR４１から送信されてくるステータス情報を通信制御部８６を介して取得（受信）する。
【０１６６】
ステップＳ２４８において、録画管理部８３は、取得したステータス情報に基づいて、PVR３１またはPVR４１のいずれか一方または両方が録画中であるか否かを判定する。ステップＳ２４８において、例えばPVR３１またはPVR４１のいずれか一方または両方が録画中であると判定された場合、ステップＳ２４９において、録画管理部８３は、録画中の録画機器（例えば、この例では、PVR４１）に対して録画中の放送番組に関する情報、例えば、録画中の放送の種類やチャンネル等の送信を要求するコマンドを送信する。
【０１６７】
ステップＳ２５０において、録画管理部８３は、ステップＳ２４９で送信したコマンドに応じてPVR４１から送信されてくる録画中の放送番組に関する情報を通信制御部８６を介して取得（受信）する。
【０１６８】
ステップＳ２５１において、録画管理部８３は、取得した録画中の放送番組に関する情報に基づいて、PVR４１で録画中のチャンネルが視聴中のチャンネル（切換チャンネル）であるか否かを判定する。録画管理部８３は、例えば、取得した録画中の放送番組に関する情報のうちのチャンネルと、例えば選局制御部８２により保持されている切換チャンネルとが一致するか否かにより、PVR４１で録画中のチャンネルが視聴中のチャンネルであるか否かを判定する。ステップＳ２５１において、PVR４１で録画中のチャンネルが視聴中のチャンネルであると判定された場合、ステップＳ２５２において、録画管理部８３は、視聴中のチャンネルが（PVR４１で）録画中であることを示すRec情報をモニタ２３Ａに表示させる。なおRec情報としては、録画中マークや、録画中の録画機器を示す情報等を採用することができる。
【０１６９】
これにより、モニタ２３Ａの表示画面には、Rec情報が視聴中の放送番組の画像に重畳されて表示される。
【０１７０】
例えば、図１２のモニタ２３Ａの表示例では、Rec情報として、前述した一般的に録画中であることを示す赤色の丸印（図中黒丸）や、録画中の録画機器の情報である「PVR2」（PVR４１の識別情報）を用いた「PVR2で録画中です」との文字列が視聴中のチャンネルの画像に重畳されて表示されている（図中の矩形枠内の部分）。
【０１７１】
なおステップＳ２４８でPVR３１及びPVR４１のいずれでも録画中でないと判定された場合、ステップＳ２４９乃至ステップＳ２５２がスキップされる。またステップＳ２５１でPVR４１で録画中のチャンネルが視聴中のチャンネル（切換チャンネル）に一致しないと判定された場合、ステップＳ２５２がスキップされる。
【０１７２】
次にPVR３１の処理のうちのステップＳ２７２の処理について説明する。
【０１７３】
ステップＳ２７２において、PVR３１は、放送受信機２１から送信された、PVR３１に対して録画機器の録画状態を示すステータス情報の送信を要求するコマンドを受信し、それに応じて内部の記録装置３１Ａでの録画状態を示すステータス情報を放送受信機２１に送信する。
【０１７４】
またPVR４１の処理のうちのステップＳ２８２以降の処理について説明する。
【０１７５】
ステップＳ２８２において、PVR４１は、放送受信機２１から送信された、PVR４１に対して録画機器の録画状態を示すステータス情報の送信を要求するコマンドを受信し、それに応じて内部の記録装置４１Ａでの録画状態を示すステータス情報を放送受信機２１に送信する。
【０１７６】
ステップＳ２８３において、PVR４１は、放送受信機２１から送信された、録画中の放送番組に関する情報の送信を要求するコマンドを受信し、それに応じて内部の記録装置４１Ａで録画中の番組に関する情報を放送受信機２１に送信する。
【０１７７】
以上のように、放送受信機２１は、視聴中のチャンネルを切換チャンネルに切り換えるユーザ操作がリモートコマンダ制御部９１で受け付けられた場合、切換チャンネルがホームネットワーク１４上の録画機器で録画中のチャンネルであるとき、視聴中のチャンネルがその録画機器で録画中であることを示すRec情報をモニタ２３Ａに表示させるようにしたので、例えば、ユーザは、視聴中のチャンネル（切換チャンネル）がホームネットワーク１４上の録画機器で録画中であるか否かを容易に把握することができる。またユーザが、ホームネットワーク１４上の録画機器により録画中の放送番組を間違ってそのまま視聴してしまうことを防ぐことができる。
【０１７８】
次に、放送受信機２１、PVR３１、及びPVR４１の処理の他の例を、図１９及び２０のフローチャートを参照して説明する。
【０１７９】
図１９及び２０において、ステップＳ３０１及びＳ３０２、ステップＳ３１１、並びにステップＳ３２１の処理は、図４及び５におけるステップＳ１及びＳ２、ステップＳ２１、並びにステップＳ３１の処理と同じであり、その説明は省略する。
【０１８０】
まず放送受信機２１のステップＳ３０３以降の処理について説明する。
【０１８１】
ステップＳ３０３において、リモートコマンダ制御部９１は、リモートコマンダ２２に対する例えば録画していない録画機器の表示を指示するユーザ操作に対応する赤外線や無線電波等を受信してそのユーザ操作を受け付け、それに基づいてそのユーザ操作に対応する操作信号を選局制御部８２乃至表示制御部８５に供給する。
【０１８２】
ステップＳ３０４において、録画管理部８３は、リモートコマンダ制御部９１から供給される操作信号に基づいて、システムコントローラ９０により保持されている機器情報を読み出すことにより、デバイスリストをチェックする。
【０１８３】
ステップＳ３０５において、録画管理部８３は、読み出したデバイスリスト中の録画機器であるPVR３１及びPVR４１のそれぞれに対してその録画機器の録画状態を示すステータス情報の送信を要求するコマンドを送信する。
【０１８４】
ステップＳ３０６において、録画管理部８３は、ステップＳ３０５で送信したコマンドに応じてPVR３１及びPVR４１から送信されてくるステータス情報を通信制御部８６を介して取得（受信）する。
【０１８５】
ステップＳ３０７において、録画管理部８３は、取得したステータス情報から、デバイスリスト中の録画機器のうち録画していないものはあるか否かを判定する。ステップＳ３０７において、デバイスリスト中の録画機器のうち録画していないものはあると判定された場合、ステップＳ３０８において、録画管理部８３は、例えば、録画していない録画機器のリスト（一覧表）をモニタ２３Ａに表示させる。
【０１８６】
ステップＳ３０７において、デバイスリスト中の録画機器のうち録画していないものはないと判定された場合、ステップＳ３０９において、録画管理部８３は、録画していない録画機器がない旨の情報、例えば「録画していない録画機器はありません。」なる文字列等をモニタ２３Ａに表示させる。
【０１８７】
これにより、モニタ２３Ａの表示画面には、そのような文字列が視聴中の放送番組の画像に重畳されて表示される。
【０１８８】
次にPVR３１の処理のうちのステップＳ３１２の処理について説明する。
【０１８９】
ステップＳ３１２において、PVR３１は、放送受信機２１から送信された、PVR３１に対してステータス情報の送信を要求するコマンドを受信し、それに応じて内部の記録装置３１Ａでの録画状態を示すステータス情報を放送受信機２１に送信する。
【０１９０】
またPVR４１の処理のうちのステップＳ３２２の処理について説明する。
【０１９１】
ステップＳ３２２において、PVR４１は、放送受信機２１から送信された、PVR４１に対してステータス情報の送信を要求するコマンドを受信し、それに応じて内部の記録装置４１Ａでの録画状態を示すステータス情報を放送受信機２１に送信する。
【０１９２】
以上のように、放送受信機２１は、録画していない録画機器の表示を指示するユーザ操作がリモートコマンダ制御部９１で受け付けられた場合、デバイスリスト中の録画機器のうち録画していないものがあるとき、録画していない録画機器のリストをモニタ２３Ａに表示させるようにしたので、例えば、ユーザは、録画していない録画機器がどの録画機器であるかを容易に把握することができる。その結果、例えば、思い立ったときに録画していない録画機器を利用してすぐに録画させるといったことが可能になる。
【０１９３】
次に図２１を参照して、放送受信システム１１１の構成例について説明する。
【０１９４】
放送受信システム１１１は、放送受信機１２１、リモートコマンダ１２２、出力装置１２３、及び記録装置１２４から構成される。
【０１９５】
この例では、放送受信機１２１は、例えば２個のチューナを有するダブルチューナ構成であり、一方のチューナの出力に基づいて出力装置１２３から放送番組の画像や音声の出力を行うとともに、他方のチューナの出力に基づいて記録装置１２４への放送番組の録画を行う。なおこの例では、放送受信機１２１は、ネットワーク対応の録画機器と接続されていない。
【０１９６】
例えば、ユーザはリモートコマンダ１２２を操作して放送受信機１２１に対して視聴のためのチャンネルを指定する指示を行うことで、指定したチャンネルの放送番組の画像や音声を出力装置１２３に出力させたり、録画のための放送番組を指定する指示を行うことで、指定した放送番組を記録装置１２４に外部録画させたりする。
【０１９７】
放送受信機１２１は、例えば地上波デジタル放送の放送信号を受信する放送受信装置であり、受信した放送信号から得られる放送番組の画像データ及び音声データを出力装置１２３に供給して画像を出力させるとともに、それを記録装置１２４に供給して記録させることにより記録装置１２４への外部録画を行う。
【０１９８】
リモートコマンダ１２２は、それに対するユーザ操作に対応する赤外線や無線電波を放送受信機１２１に送信する。
【０１９９】
出力装置１２３は、モニタ１２３Ａから構成される。モニタ１２３Ａは、放送受信機１２１から供給される画像データに基づいて画像をその表示画面に表示する。
【０２００】
記録装置１２４は、放送受信機１２１から供給される画像データを記録することにより放送番組を（外部）録画する。なお記録装置１２４は、放送受信機１２１により管理された録画予約の情報等に従って、放送受信機１２１から供給される外部制御信号に基づいて録画を行う。
【０２０１】
放送受信機１２１の内部構成例について説明する。
【０２０２】
放送受信機１２１は、アンテナ１３１、チューナ１３２、デコーダ部１３３、アンテナ１３４、チューナ１３５、デコーダ部１３６、選局制御部１３７、予約管理部１３８、表示制御部１３９、通信制御部１４０、番組情報記憶部１４１、予約情報記憶部１４２、システムコントローラ１４３、リモートコマンダ制御部１４４、記録装置制御部１４５、及びバス１４６から構成される。デコーダ部１３３、デコーダ部１３６、選局制御部１３７、予約管理部１３８、表示制御部１３９、通信制御部１４０、番組情報記憶部１４１、予約情報記憶部１４２、システムコントローラ１４３、リモートコマンダ制御部１４４、及び記録装置制御部１４５は、バス１４６を介して相互に接続されている。
【０２０３】
アンテナ１３１は、例えば図示せぬ地上デジタル放送の基地局から送信された放送波を受け、その放送波に対応する放送信号をチューナ１３２に供給する。
【０２０４】
チューナ１３２は、例えば地上デジタル放送用のチューナであるとともに例えば録画用に固定されたチューナであり、アンテナ１３１から供給される放送信号を受信し、それに対して選局や復調等を行い、その結果得られる放送データをデコーダ部１３３に供給する。
【０２０５】
デコーダ部１３３は、チューナ１３２から供給される放送データをデスクランブルし、所定の放送番組の画像データや番組情報等を抽出する。そして、デコーダ部１３３は、抽出した画像データをデコードして（外部の）記録装置１２４に供給するとともに、抽出した番組情報をバス１４６を介して番組情報記憶部１４１に供給する。
【０２０６】
アンテナ１３４は、例えば図示せぬ地上デジタル放送の基地局から送信された放送波を受け、その放送波に対応する放送信号をチューナ１３５に供給する。
【０２０７】
チューナ１３５は、例えば地上デジタル放送用のチューナであり、アンテナ１３４から供給される放送信号を受信し、それに対して選局や復調等を行い、その結果得られる放送データをデコーダ部１３６に供給する。
【０２０８】
デコーダ部１３６は、チューナ１３５から供給される放送データをデスクランブルし、所定の放送番組の画像データや番組情報等を抽出する。そして、デコーダ部１３６は、抽出した画像データをデコードして表示制御部１３９に供給するとともに、抽出した番組情報をバス１４６を介して番組情報記憶部１４１に供給する。
【０２０９】
選局制御部１３７は、リモートコマンダ制御部１４４からバス１４６を介して供給される操作信号に基づいて、チューナ１３２及び１３５のそれぞれを制御して、所定のチャンネルを選局させる。選局制御部１３７はまた、予約情報記憶部１４２から外部予約録画情報を読み出し、それに基づいて、記録装置１２４への録画の開始時刻になると、チューナ１３２を制御して、その録画のチャンネルを選局させるとともに、録画の開始を指示する外部録画制御信号を、記録装置制御部１４５を介して記録装置１２４に供給（出力）する。これにより、記録装置１２４では、その録画が開始される。なお録画の終了時についても同様である。
【０２１０】
予約管理部１３８は、リモートコマンダ制御部１４４からバス１４６を介して供給される操作信号に基づいて、外部予約録画情報を生成し、バス１４６を介して予約情報記憶部８８に供給して記憶させることにより、記録装置１２４への外部録画の録画予約を行う。
【０２１１】
表示制御部１３９は、リモートコマンダ制御部１４４からバス１４６を介して供給される操作信号に基づいて、例えば表示モードの切り換え等を行う。表示制御部１３９はまた、OSD表示の表示データの作成し、デコーダ部１３６から供給される画像データとを合成し、例えば、OSD表示が放送番組の画像に重畳するようにモニタ１２３Ａに表示させる。
【０２１２】
通信制御部１４０は、例えば、図示せぬネットワーク上のデータをバス１４６に供給するとともに、バス１４６上のデータをネットワーク上に供給する。
【０２１３】
番組情報記憶部１４１は、デコーダ部１３３及び１３６からバス１４６を介して供給される番組情報を記憶する。
【０２１４】
予約情報記憶部１４２は、予約管理部１３８からバス１４６を介して供給される外部予約録画情報を記憶する。外部予約録画情報では、例えば、録画予約された放送番組のチャンネル、開始時刻、終了時刻、及び放送の種類が対応付けられている。
【０２１５】
システムコントローラ１４３は、例えば放送受信機１２１の各部の制御を行う。
【０２１６】
リモートコマンダ制御部１４４は、リモートコマンダ１２２に対するユーザ操作に対応する、リモートコマンダ１２２から送信された赤外線や無線電波等を受信してそのユーザ操作を受け付け、それに基づいてそのユーザ操作に対応する操作信号を、選局制御部１３７乃至表示制御部１３９に供給する。
【０２１７】
記録装置制御部１４５は、予約管理部１３８からバス１４６を介して供給される外部録画制御信号を記録装置１２４に供給（出力）する。
【０２１８】
次に、放送受信機１２１の処理を、図２２のフローチャートを参照して説明する。
【０２１９】
ステップＳ３４１において、リモートコマンダ制御部１４４は、リモートコマンダ１２２に対する例えば視聴中のチャンネルを切換チャンネルに切り換えるユーザ操作に対応する赤外線や無線電波等を受信してそのユーザ操作を受け付け、それに基づいてそのユーザ操作に対応する操作信号を選局制御部１３７乃至表示制御部１３９に供給する。
【０２２０】
ステップＳ３４２において、選局制御部１３７は、リモートコマンダ制御部１４４から供給される操作信号に基づいて、チューナ１３５を制御し、視聴中のチャンネルを切換チャンネルに切り換えさせる。
【０２２１】
ステップＳ３４３において、予約管理部１３８は、予約情報記憶部１４２から例えばすべての外部予約録画情報を読み出すことにより、記録装置２４の録画スケジュールをチェックする。
【０２２２】
ステップＳ３４４において、予約管理部１３８は、記録装置１２４が録画中であるか否かを判定する。予約管理部１３８は、例えば、読み出した外部予約録画情報のうち、開始時刻が現在時刻以前であるとともに終了時刻が現在時刻以後である外部予約録画情報が検出されたか否かにより、記録装置１２４が録画中であるか否かを判定する。
【０２２３】
ステップＳ３４４において、記録装置１２４が録画中であると判定された場合、ステップＳ３４５において、予約管理部１３８は、視聴中のチャンネル（切換チャンネル）が記録装置１２４で録画中のチャンネルであるか否かを判定する。予約管理部１３８は、例えば、ステップＳ３４４で検出された外部予約録画情報のうち、チャンネルが切換チャンネルである外部予約録画情報が検出されたか否かにより、視聴中のチャンネルが録画中のチャンネルであるか否かを判定する。
【０２２４】
ステップＳ３４５において、視聴中のチャンネルが録画中のチャンネルであると判定された場合、表示制御部１３９は、視聴中のチャンネルが録画中のチャンネルであることを示すRec情報をモニタ１２３Ａに表示させる。なお、Rec情報としては、録画中マークや、録画中とされた外部予約録画情報に基づくものを採用することができる。
【０２２５】
これにより、モニタ１２３Ａの表示画面には、Rec情報が視聴中の番組の画像に重畳されて表示される。
【０２２６】
放送受信機がシングルチューナ構成の場合、外部録画中にチャンネルの切り換えができないため、視聴中のチャンネルが外部録画中のチャンネルであることをユーザが把握することができるのは当然であるが、複数チューナ構成の場合、視聴用のチューナとは別に外部録画用のチューナが固定されているため、外部録画中に視聴中のチャンネルを切り替えることが可能であり、ユーザが外部録画中であるかどうかを知ることは難しい。
【０２２７】
一方、放送受信機１２１は、視聴中のチャンネルを切換チャンネルに切り換えるユーザ操作がリモートコマンダ制御部１４４で受け付けられた場合、視聴中のチャンネルを切換チャンネルに切り換えるとともに、切換チャンネルが記録装置２４で録画中のチャンネルであるとき、切換チャンネルが録画中のチャンネルであることを示すRec情報をモニタ１２３Ａに表示させるようにしたので、例えば、ユーザは、視聴中のチャンネル（切換チャンネル）が録画中のチャンネルであるか否かを容易に把握することができる。また例えば、ユーザが、記録装置１２４により録画中の放送番組を間違ってそのまま視聴してしまうことを防ぐことができる。
【０２２８】
なお、本発明の実施の形態は、上述した実施の形態に限定されるものではなく、本発明の要旨を逸脱しない範囲において種々の変更が可能である。
【図面の簡単な説明】
【０２２９】
【図１】放送受信システム１１の構成例を示す図である。
【図２】放送受信機２１の機能的構成例を示す図である。
【図３】録画情報の例を示す図である。
【図４】放送受信機２１、PVR３１、及びPVR４１の処理の例を示すフローチャートである。
【図５】放送受信機２１、PVR３１、及びPVR４１の処理の例を示すフローチャートである。
【図６】モニタ２３Ａの表示例を示す図である。
【図７】放送受信機２１、PVR３１、及びPVR４１の処理の他の例を示すフローチャートである。
【図８】放送受信機２１、PVR３１、及びPVR４１の処理の他の例を示すフローチャートである。
【図９】放送受信機２１、PVR３１、及びPVR４１の処理の他の例を示すフローチャートである。
【図１０】放送受信機２１、PVR３１、及びPVR４１の処理の他の例を示すフローチャートである。
【図１１】モニタ２３Ａの表示例を示す図である。
【図１２】放送受信機２１、PVR３１、及びPVR４１の処理の他の例を示すフローチャートである。
【図１３】放送受信機２１、PVR３１、及びPVR４１の処理の他の例を示すフローチャートである。
【図１４】放送受信機２１、PVR３１、及びPVR４１の処理の他の例を示すフローチャートである。
【図１５】放送受信機２１、PVR３１、及びPVR４１の処理の他の例を示すフローチャートである。
【図１６】放送受信機２１、PVR３１、及びPVR４１の処理の他の例を示すフローチャートである。
【図１７】放送受信機２１、PVR３１、及びPVR４１の処理の他の例を示すフローチャートである。
【図１８】モニタ２３Ａの表示例を示す図である。
【図１９】放送受信機２１、PVR３１、及びPVR４１の処理の他の例を示すフローチャートである。
【図２０】放送受信機２１、PVR３１、及びPVR４１の処理の他の例を示すフローチャートである。
【図２１】放送受信システム１１１の構成例を示す図である。
【図２２】放送受信機１２１の処理の例を示すフローチャートである。
【符号の説明】
【０２３０】
１１  放送受信システム，  １２及び１３  PVRシステム，  ２１  放送受信機，  ２２  リモートコマンダ，  ２３  出力装置，  ２３Ａ  モニタ，  ２４  記録装置，  ３１  PVR，  ３１Ａ  記録装置，  ３２  リモートコマンダ，  ３３  出力装置，  ４１  PVR，  ４１Ａ  記録装置，  ４２  リモートコマンダ，  ４３  出力装置，  ５１  アンテナ，  ５２  チューナ，  ８１  デコーダ部，  ８２  選局制御部，  ８３  録画管理部，  ８４  予約管理部，  ８５  表示制御部，  ８６  通信制御部，  ８７  番組情報記憶部，  ８８  予約情報記憶部，  ８９  録画情報記憶部，  ９０  システムコントローラ，  ９１  リモートコマンダ制御部，  ９２  記録装置制御部，  １１１  放送受信システム，  １２１  放送受信機，  １２２  リモートコマンダ，  １２３  出力装置，  １２３Ａ  モニタ，  １２４  記録装置，  １３１  アンテナ，  １３２  チューナ，  １３３  デコーダ部，  １３４  アンテナ，  １３５  チューナ，  １３６  デコーダ部，  １３７  選局制御部，  １３８  予約管理部，  １３９  表示制御部，  １４２  予約情報記憶部，  １４４  リモートコマンダ制御部，  １４５  記録装置制御部
【図１】
2009164984.tif 000003
【図２】
2009164984.tif 000004
【図３】
2009164984.tif 000005
【図４】
2009164984.tif 000006
【図５】
2009164984.tif 000007
【図６】
2009164984.tif 000008
【図７】
2009164984.tif 000009
【図８】
2009164984.tif 000010
【図９】
2009164984.tif 000011
【図１０】
2009164984.tif 000012
【図１１】
2009164984.tif 000013
【図１２】
2009164984.tif 000014
【図１３】
2009164984.tif 000015
【図１４】
2009164984.tif 000016
【図１５】
2009164984.tif 000017
【図１６】
2009164984.tif 000018
【図１７】
2009164984.tif 000019
【図１８】
2009164984.tif 000020
【図１９】
2009164984.tif 000021
【図２０】
2009164984.tif 000022
【図２１】
2009164984.tif 000023
【図２２】
2009164984.tif 000024